(57)【要約】      （修正有）【課題】車両に同乗者有りの場合において、車両用表示システムの外部から取得した外部情報のうち運転者に関連する運転者関連情報を運転者専用表示器に表示する車両用表示システムを提供することを目的とする。【解決手段】車両用表示システム１は、車両Ｃに搭載され、表示制御部１０、外部情報取得部２０、同乗者情報取得部３０、車両情報取得部４０、運転者専用表示器５０、汎用表示器６０、操作情報取得部７０を備える。表示制御部１０は、車両Ｃに運転者以外の同乗者有りの場合において、外部情報取得部２０から取得した外部情報のうち運転者に関連する運転者関連情報を運転者専用表示器５０に表示する。【選択図】図１
2019119338.tif 000002
【特許請求の範囲】
【請求項１】
車両の同乗者の有無を含む同乗者情報を取得する同乗者情報取得部と、
外部情報を取得する外部情報取得部と、
運転者のみが視認可能な表示領域を有する運転者専用表示器と、
前記運転者と前記同乗者が視認可能な表示領域を有する汎用表示器と、
前記運転者専用表示器と前記汎用表示器の表示を制御する表示制御部と、
を備え、
前記外部情報は、前記運転者に関連する運転者関連情報と、前記運転者に関連しない一般情報を含み、
前記表示制御部は、前記同乗者情報が同乗者有りの場合において、前記運転者関連情報を前記運転者専用表示器に、前記一般情報を前記汎用表示器に表示する、
ことを特徴とする車両用表示システム。
【請求項２】
前記運転者関連情報は、前記運転者が前記外部情報から選択して設定できる、
ことを特徴とする請求項１に記載の車両用表示システム。
【請求項３】
前記運転者の操作情報を取得する操作情報取得部をさらに備え、
前記運転者専用表示器に表示されている前記運転者関連情報は、前記操作情報により前記汎用表示器に表示される、
ことを特徴とする請求項１乃至２のいずれか１つに記載の車両用表示システム。
【請求項４】
前記同乗者情報は、前記同乗者の識別情報を含み、
前記表示制御部は、前記同乗者の前記識別情報により、前記同乗者に関連する前記一般情報を前記運転者専用表示器に表示する、
ことを特徴とする請求項１乃至３のいずれか１つに記載の車両用表示システム。
【請求項５】
前記運転者関連情報は、前記運転者の生体情報を含み、
前記表示制御部は、前記生体情報から前記運転者が運転を継続できないと判断した場合に、前記運転者関連情報を前記汎用表示器に表示する、
ことを特徴とする請求項１乃至４のいずれか１つに記載の車両用表示システム。
【発明の詳細な説明】
【技術分野】
【０００１】
本発明は、車両用表示システムに関する。
【背景技術】
【０００２】
特許文献１に開示される車両用表示装置は、メータユニット（表示部）に携帯表示部に表示される画像を表示し、車両乗員によりスイッチ操作が可能な操作部を通じてタッチ操作と同等の操作を携帯端末に対して行っていた。
【先行技術文献】
【特許文献】
【０００３】
【特許文献１】特開２０１６−１４７６５７号公報
【発明の概要】
【発明が解決しようとする課題】
【０００４】
しかしながら、上記特許文献１に記載の構成では、メータユニット（表示部）に携帯表示部の画像が表示されるため、車両乗員（運転者）に関連する情報が助手席や後部座席の同乗者から視認可能になるという問題があった。
【０００５】
本発明は、車両に同乗者有りの場合において、車両用表示システムの外部から取得した外部情報のうち運転者に関連する運転者関連情報を運転者専用表示器に表示する車両用表示システムを提供することを目的とする。
【課題を解決するための手段】
【０００６】
本発明に従う第一の態様は、
車両の同乗者の有無を含む同乗者情報を取得する同乗者情報取得部と、
外部情報を取得する外部情報取得部と、
運転者のみが視認可能な表示領域を有する運転者専用表示器と、
前記運転者と前記同乗者が視認可能な表示領域を有する汎用表示器と、
前記運転者専用表示器と前記汎用表示器の表示を制御する表示制御部と、
を備え、
前記外部情報は、前記運転者に関連する運転者関連情報と、前記運転者に関連しない一般情報を含み、
前記表示制御部は、前記同乗者情報が前記同乗者有りの場合において、前記運転者関連情報を前記運転者専用表示器に、前記一般情報を前記汎用表示器に表示する、
ことを特徴とする車両用表示システムに関する。
【０００７】
車両用表示システムは、車両に同乗者有りの場合において、車両用表示システムの外部から取得した外部情報のうち運転者に関連する運転者関連情報を運転者専用表示器に表示する。これによれば、運転者関連情報を同乗者に開示せずに済み、運転者のプライバシー情報を保護することができる。
【０００８】
第一の態様に従属する第二の態様において、
前記運転者関連情報は、前記運転者が前記外部情報から選択して設定できる、
ことを特徴とする。
【０００９】
車両用表示システムは、外部情報のうち、どの情報を運転者関連情報として運転者専用表示器に表示させ、どの情報を一般情報として汎用表示器に表示させるかを運転者が選択して設定することができる。
【００１０】
第一から第二の態様のいずれかに従属する第三の態様において、
前記車両用表示システムは、前記運転者の操作情報を取得する操作情報取得部をさらに備え、
前記運転者専用表示器に表示されている前記運転者関連情報は、前記操作情報により前記汎用表示器に表示される、
ことを特徴とする。
【００１１】
車両用表示システムは、運転者専用表示器に表示されている運転者関連情報について、運転者の操作により汎用表示器に表示し、必要に応じて同乗者に見せることができる。
【００１２】
第一から第三の態様のいずれかに従属する第四の態様において、
前記同乗者情報は、前記同乗者の識別情報を含み、
前記表示制御部は、前記同乗者の前記識別により、前記同乗者に関連する前記一般情報を前記運転者専用表示器に表示する、
ことを特徴とする。
【００１３】
車両用表示システムは、同乗者に関連する一般情報を運転者専用表示器に表示することで、同乗者に見せないようにすることができる。
【００１４】
第一から第四の態様のいずれかに従属する第五の態様において、
前記運転者関連情報は、前記運転者の生体情報を含み、
前記表示制御部は、前記生体情報から前記運転者が運転を継続できないと判断した場合に、前記運転者関連情報を前記汎用表示器に表示する、
ことを特徴とする。
【００１５】
車両用表示システムは、通常時は運転者のプライバシー情報を保護しつつ、生体情報から運転者が運転を継続できないと判断した場合に運転者の生体情報や緊急連絡先等の運転者関連情報を汎用表示器に表示することで、同乗者が運転者の体調不良に備えることができる。
【発明の効果】
【００１６】
本発明によれば、車両に同乗者有りの場合において、車両用表示システムの外部から取得した外部情報のうち運転者に関連する運転者関連情報を運転者専用表示器に表示する車両用表示システムを提供することができる。
【図面の簡単な説明】
【００１７】
【図１】車両用表示システムのブロック図である。
【図２】車両用表示システムが搭載される車両の車室前方の概観を示す図である。
【図３】車両用表示システムの第一の態様における表示制御のフロー図である。
【図４】車両用表示システムの第二の態様における運転者関連情報と一般情報の選択設定画面の例である。
【図５】車両用表示システムの第三の態様における表示制御のフロー図である。
【図６】車両用表示システムの第四の態様における運転者関連情報と一般情報の選択設定画面の例である。
【図７】車両用表示システムの第四の態様における表示制御のフロー図である。
【図８】車両用表示システムの第五の態様における表示制御のフロー図である。
【発明を実施するための形態】
【００１８】
以下に説明する好ましい態様は、本発明を容易に理解するために用いられている。従って、当業者は、本発明が、以下に説明される態様によって不当に限定されないことを留意すべきである。
【００１９】
図１には、車両用表示システム１のブロック図が示されている。車両用表示システム１は、車両Ｃに搭載され、表示制御部１０、外部情報取得部２０、同乗者情報取得部３０、車両情報取得部４０、運転者専用表示器５０、汎用表示器６０、操作情報取得部７０を備えている。図２は、車両用表示システム１が搭載される車両Ｃの車室前方の概観を示す図である。
【００２０】
表示制御部１０は、回路で構成され、前記回路は少なくとも１つのプロセッサ（例えば、中央処理装置（CPU: Central Processing Unit））、少なくとも１つの特定用途向け集積回路（ASIC: Application Specific Integrated Circuit）、及び／又は、少なくとも１つのフィールドプログラマブルゲートアレイ（FPGA: Field-Programmable Gate Array）などの少なくとも１つの半導体集積回路を含む。少なくとも１つのプロセッサは、少なくとも１つのコンピュータ読み取り可能で有形な記録媒体から１つ又は複数の命令を読み取ることにより、図１に示す車両用表示システム１の機能の全部又は一部を実行することができる。前記記録媒体は、ハードディスクのような任意のタイプの磁気媒体、ＣＤ及びＤＶＤのような任意のタイプの光学媒体、揮発性メモリのような任意のタイプの半導体メモリ、及び不揮発性メモリを含む。揮発性メモリはＤＲＡＭ及びＳＲＡＭを含み、不揮発性メモリはＲＯＭ及びＮＶＲＡＭを含む。半導体メモリは、少なくとも１つのプロセッサと共に回路の一部となる半導体回路でもある。ＡＳＩＣは、図１に示す車両用表示システム１の機能の全部又は一部を実行するようにカスタマイズされた集積回路であり、ＦＰＧＡは、製造後に、図１に示す車両用表示システム１の機能の全部又は一部を実行できるように設計された集積回路である。
【００２１】
外部情報取得部２０は、通信インターフェースであり、車両用表示システム１の外部から外部情報を取得する。外部情報取得部２０は、携帯端末２００からＵＳＢ(Universal Serial Bus)、ＬＡＮ(Local Area Network)、Ｂｌｕｅｔｏｏｔｈ（登録商標）等の有線・無線通信を介して情報を取得する。また、外部情報取得部２０は、ナビゲーション装置２１０からＣＡＮ（Controller Area Network）等の車載ネットワークを介してナビゲーション情報を取得できてもよい。さらに、外部情報取得部２０は、生体情報検知部２２０からＣＡＮ等の車載ネットワークを介して、運転者の生体情報を取得できてもよい。生体情報検知部２２０の検出部２２１は生体センサで構成され、運転者の心拍数、体温、血圧、まぶた、瞳孔等の状態を検出する。生体情報検知部２２０は、解析部２２２をさらに有し、検出部２２１が検出した運転者の状態から、運転者が運転を継続できる状態か、運転を継続できない状態かを解析した解析情報を生体情報に付加してもよい。車両用表示システム１は、外部情報取得部２０が取得した外部情報を図示しない記憶部に記憶してもよい。
【００２２】
同乗者情報取得部３０は、通信インターフェースであり、同乗者検知部３００からＣＡＮ等の車載ネットワークを介して同乗者情報を取得する。同乗者検知部３００の検出部３０１は、例えばカメラからなり、車両Ｃの運転者以外の同乗者の有無を検出する。同乗者検知部３００は解析部３０２をさらに有し、同乗者を識別した識別情報を同乗者情報に付加してもよい。なお、検出部３０１の他の態様として、シートの感圧センサ、シートベルトの着脱センサ、ドアの開閉センサ等を用いて同乗者を検出してもよい。
【００２３】
車両情報取得部４０は、通信インターフェースであり、車両ＥＣＵ４００からＣＡＮ等の車載ネットワークを介して車両情報を取得する。車両情報は、車速、エンジン回転数、残エネルギー量、ブレーキ量、ステアリングの操舵角などを含んでいる。
【００２４】
運転者専用表示器５０は、凹面鏡などの図示しない光学系と共にいわゆるウインドシールド型のヘッドアップディスプレイ（HUD: Head Up Display）を構成する。表示器に表示された表示画像を表す表示光は、凹面鏡などの光学系を経て、車両ＣのウインドシールドＷＳに投射され、ウインドシールドＷＳにおいて反射等で光路が変更され視認者の眼に入射し、ウインドシールドＷＳ前方に前記表示画像が虚像として視認される。
なお、運転者専用表示器５０の他の態様として、スマートグラスを含むヘッドマウントディスプレイ（HMD: Head Mounted Display）等の表示装置であってもよい。ＨＭＤは頭部に装着する表示装置であり、表示器からの表示光を投射光学系や導光体などの図示しない光学系を用いて装着者の眼前の透明板に投射し装着者に表示光が示す表示画像の虚像を視認させる、あるいは装着者の網膜に直接表示画像を投影するものである。
ＨＵＤは、アイボックスと呼ばれる表示画像の虚像を視認可能な領域が視認者の目（瞳）の位置を含む所定の幅を有する上下左右の領域に設定されており、ＨＭＤは、装着者のみが表示画像を視認可能である。運転者専用表示器５０は、少なくとも車両Ｃの運転席に座った運転者が車両Ｃの前方を向いたときに視認可能な表示領域５１を有する。
【００２５】
汎用表示器６０は、液晶パネルモジュールからなり、表示制御部１０の制御により表示画像を表示領域に表示する。なお、汎用表示器６０の他の態様として、有機ＥＬ（Electro Luminescence）素子等の自発光表示パネルモジュールであってもよい。第一の汎用表示器６１は、例えばメータディスプレイとして機能し、表示制御部１０の制御のもとで車速、エンジン回転数、残エネルギー量などの車両Ｃの車両情報を表示する。第二の汎用表示器６２は、例えばナビゲーション装置用ディスプレイとして機能し、表示制御部１０の制御のもとでナビゲーション情報を表示する。第三の汎用表示器６３は、例えばセンターディスプレイとして機能し、表示制御部１０の制御のもとで楽曲情報、写真あるいは動画などの車両Ｃに関連しないエンターテイメント情報などを表示する。図１に示される例では、３個の汎用表示器６１，６２，６３が車両Ｃに搭載されるように示されているが、車両Ｃに搭載される汎用表示器６０は、４個以上であってもよく、１又は２個であってもよい。
【００２６】
操作情報取得部７０は、通信インターフェースであり、操作部７００からＣＡＮ（Controller Area Network）等の車載ネットワークを介して、運転者が行った操作情報を取得する。操作部７００は、ステアリングスイッチ、タッチパッド、クリックホイール等によって構成され、運転者専用表示器５０や汎用表示器６０に表示された表示画像に対し、運転者が操作を行うことができる。
【００２７】
図３を参照する。図３は、本発明の第一の態様における表示制御のフロー図である。
ステップＳ１１において、表示制御部１０は、外部情報取得部２０から外部情報を取得する。ここで取得される外部情報は、電話帳情報、電子メール情報、スケジュール情報、趣向情報、生体情報のような運転者関連情報の場合もあれば、時刻情報、楽曲情報、ナビゲーション情報のような一般情報の場合もある。
【００２８】
ステップＳ１２において、表示制御部１０は、同乗者情報取得部３０から同乗者情報を取得する。同乗者情報には、少なくとも同乗者の有無が含まれている。
【００２９】
ステップＳ１３において、表示制御部１０は、同乗者情報から同乗者の有無を判断する。「同乗者無しの場合（Ｎｏの場合）」はステップＳ１７に移行し、「同乗者有りの場合（Ｙｅｓの場合）」はステップＳ１４に移行する。
【００３０】
ステップＳ１４において、表示制御部１０は、取得した外部情報が運転者関連情報か判断する。「運転者関連情報である場合（Ｙｅｓの場合）」はステップＳ１５に移行し、「運転者関連情報ではない場合（Ｎｏの場合）」はステップＳ１６に移行する。
【００３１】
ステップＳ１５において、表示制御部１０は、運転者関連情報を運転者専用表示器５０に表示する。運転者専用表示器５０は、運転者のみが視認可能であるため、運転者関連情報を同乗者に視認されず、運転者のプライバシー情報を保護することができる。
【００３２】
ステップＳ１６において、表示制御部１０は、一般情報を汎用表示器６０に表示する。
【００３３】
ステップＳ１７において、表示制御部１０は、外部情報を運転者専用表示器５０、汎用表示器６０のいずれかに表示する。表示制御部１０は、例えば、表示器の使用の有無、外部情報の大きさや量、表示器の表示領域の大きさ等から外部情報の表示に適した表示器を選択してよい。
【００３４】
図４を参照する。図４は本発明の第二の態様における運転者関連情報の選択設定画面の例である。
表示制御部１０は、外部情報取得部２０が取得する外部情報について運転者専用表示器５０に表示し、運転者は操作部７００の操作によって運転者関連情報とする外部情報を選択する。車両用表示システム１は、選択された外部情報を運転者関連情報として設定する。これにより、運転者は、例えば音楽の演奏リストや演奏者を同乗者に視認させたくない場合は、楽曲情報を運転者関連情報として設定することにより、運転者専用表示器５０に表示させることができる。又は、運転者は、例えば趣向に関する情報を同乗者と共有したい場合は、趣向情報を一般情報として設定することにより、汎用表示器６０に表示させることができる。
【００３５】
図５を参照する。図５は本発明の第三の態様における表示制御のフロー図である。
ステップＳ１１において、表示制御部１０は、外部情報取得部２０から外部情報を取得する。ここで取得される外部情報は、電話帳情報、電子メール情報、スケジュール情報、趣向情報、生体情報のような運転者関連情報の場合もあれば、時刻情報、楽曲情報、ナビゲーション情報のような一般情報の場合もある。
【００３６】
ステップＳ１２において、表示制御部１０は、同乗者情報取得部３０から同乗者情報を取得する。同乗者情報には、少なくとも同乗者の有無が含まれている。
【００３７】
ステップＳ１３において、表示制御部１０は、同乗者情報から同乗者の有無を判断する。「同乗者無しの場合（Ｎｏの場合）」はステップＳ１７に移行し、「同乗者有りの場合（Ｙｅｓの場合）」はステップＳ１４に移行する。
【００３８】
ステップＳ１４において、表示制御部１０は、取得した外部情報が運転者関連情報か判断する。「運転者関連情報である場合（Ｙｅｓの場合）」はステップＳ１５に移行し、「運転者関連情報ではない場合（Ｎｏの場合）」はステップＳ１６に移行する。
【００３９】
ステップＳ１５において、表示制御部１０は、運転者関連情報を運転者専用表示器５０に表示する。運転者専用表示器５０は、運転者のみが視認可能であるため、運転者関連情報を同乗者に視認されず、運転者のプライバシー情報を保護することができる。
【００４０】
ステップＳ２１において、表示制御部１０は、操作情報取得部７０から取得した操作情報から、運転者が運転者専用表示器５０に表示されている表示画像を汎用表示器６０に表示する操作を行ったかを取得する。「汎用表示器６０に表示する操作を行った場合（Ｙｅｓの場合）」は、ステップＳ１６に移行し、「汎用表示器６０に表示する操作を行っていない場合（Ｎｏの場合）」は、処理を終了する。
【００４１】
ステップＳ１６において、表示制御部１０は、一般情報、及び運転者の操作があった運転者情報を汎用表示器６０に表示する。これにより、運転者専用表示器５０に表示された運転者情報であっても、必要に応じて汎用表示器６０に表示することで同乗者に見せることができる。
【００４２】
ステップＳ１７において、表示制御部１０は、外部情報を運転者専用表示器５０、汎用表示器６０のいずれかに表示する。表示制御部１０は、例えば、表示器の使用の有無、外部情報の大きさや量、表示器の表示領域の大きさ等から外部情報の表示に適した表示器を選択してよい。
【００４３】
図６を参照する。図６は本発明の第四の態様における運転者関連情報と一般情報の選択設定画面の例である。
表示制御部１０は、外部情報取得部２０が取得する外部情報について運転者専用表示器５０に表示し、運転者は操作部７００の操作によって運転者関連情報とする外部情報を選択する。車両用表示システム１は、選択された外部情報を運転者関連情報として設定する。これにより、運転者は、例えば音楽の演奏リストや演奏者を同乗者に視認させたくない場合は、楽曲情報を運転者関連情報として設定することにより、運転者専用表示器５０に表示させることができる。又は、運転者は、例えば趣向に関する情報を同乗者と共有したい場合は、趣向情報を一般情報として設定することにより、汎用表示器６０に表示させることができる。
また、表示制御部１０は、外部情報取得部２０が取得する外部情報について運転者専用表示器５０に表示し、運転者は操作部７００の操作によって特定、あるいは複数の同乗者に関連する一般情報として選択できてもよい。車両用表示システム１は、選択された外部情報を同乗者に関連する一般情報として設定する。これにより、運転者は、例えばスケジュール情報をＡさんに関連する一般情報として設定することにより、Ａさんが同乗者だった場合はスケジュール情報を運転者専用表示器５０に表示させ、同乗者無し、あるいは同乗者がＡさん以外だった場合はスケジュール情報を汎用表示器６０に表示させることができる。
【００４４】
図７を参照する。図７は、本発明の第四の態様における表示制御のフロー図である。
ステップＳ１１において、表示制御部１０は、外部情報取得部２０から外部情報を取得する。ここで取得される外部情報は、電話帳情報、電子メール情報、スケジュール情報、趣向情報、生体情報のような運転者関連情報の場合もあれば、時刻情報、楽曲情報、ナビゲーション情報のような一般情報の場合もある。
【００４５】
ステップＳ１２において、表示制御部１０は、同乗者情報取得部３０から同乗者情報を取得する。同乗者情報には、同乗者の有無に加えて、同乗者の人数、同乗者の着席位置、同乗者の容姿、同乗者の名前等の識別情報が含まれている。
【００４６】
ステップＳ１３において、表示制御部１０は、同乗者情報から同乗者の有無を判断する。「同乗者無しの場合（Ｎｏの場合）」はステップＳ１７に移行し、「同乗者有りの場合（Ｙｅｓの場合）」はステップＳ１４に移行する。
【００４７】
ステップＳ１４において、表示制御部１０は、取得した外部情報が運転者関連情報か判断する。「運転者関連情報である場合（Ｙｅｓの場合）」はステップＳ１５に移行し、「運転者関連情報ではない場合（Ｎｏの場合）」はステップＳ３１に移行する。
【００４８】
ステップＳ３１において、表示制御部１０は、同乗者情報の識別情報から一般情報が同乗者に関連するか判断する。「一般情報が同乗者に関連する場合（Ｙｅｓの場合）」はステップＳ１５に、「一般情報が同乗者に関連しない場合（Ｎｏの場合）」はステップＳ１６に移行する。
【００４９】
ステップＳ１５において、表示制御部１０は、運転者関連情報、及び同乗者に関連する一般情報を運転者専用表示器５０に表示する。運転者専用表示器５０は、運転者のみが視認可能であるため、運転者関連情報を同乗者に視認されず、プライバシー情報を保護することができる。また、一般情報であっても同乗者に視認させたくない場合、例えば予約したレストランの名前や場所を同乗者に知らせたくない場合、について秘密を守ることができる。
【００５０】
ステップＳ１６において、表示制御部１０は、同乗者に関連しない一般情報を汎用表示器６０に表示する。
【００５１】
ステップＳ１７において、表示制御部１０は、外部情報を運転者専用表示器５０、汎用表示器６０のいずれかに表示する。表示制御部１０は、例えば、表示器の使用の有無、外部情報の大きさや量、表示器の表示領域の大きさ等から外部情報の表示に適した表示器を選択してよい。
【００５２】
図８を参照する。図８は、本発明の第五の態様の表示制御のフロー図を示す。
ステップＳ１１において、表示制御部１０は、外部情報取得部２０から外部情報を取得する。ここで取得される外部情報は、電話帳情報、電子メール情報、スケジュール情報、趣向情報、生体情報のような運転者関連情報の場合もあれば、時刻情報、楽曲情報、ナビゲーション情報のような一般情報の場合もある。
【００５３】
ステップＳ１２において、表示制御部１０は、同乗者情報取得部３０から同乗者情報を取得する。同乗者情報には、少なくとも同乗者の有無が含まれている。
【００５４】
ステップＳ１３において、表示制御部１０は、同乗者情報から同乗者の有無を判断する。「同乗者無しの場合（Ｎｏの場合）」はステップＳ１７に移行し、「同乗者有りの場合（Ｙｅｓの場合）」はステップＳ１４に移行する。
【００５５】
ステップＳ１４において、表示制御部１０は、取得した外部情報が運転者関連情報か判断する。「運転者関連情報である場合（Ｙｅｓの場合）」はステップＳ４１に移行し、「運転者関連情報ではない場合（Ｎｏの場合）」はステップＳ１６に移行する。
【００５６】
ステップＳ４１において、表示制御部１０は、運転者関連情報が運転者の生体情報であるか判断する。「運転者関連情報が運転者の生体情報である場合（Ｙｅｓの場合）」はステップＳ４２に移行し、「運転者関連情報が運転者の生体情報ではない場合（Ｎｏの場合）」はステップＳ１５に移行する。
【００５７】
ステップＳ４２において、表示制御部１０は、運転者関連情報の生体情報から運転者が運転を継続できるか状態か判定する。「運転者が運転を継続できる場合（Ｙｅｓの場合）」はステップＳ１５に移行し、「運転者が運転を継続できない場合（Ｎｏの場合）」はステップＳ１６に移行する。
【００５８】
ステップＳ１５において、表示制御部１０は、運転者関連情報を運転者専用表示器５０に表示する。運転者専用表示器５０は、運転者のみが視認可能であるため、運転者関連情報を同乗者に視認されず、プライバシー情報を保護することができる。
【００５９】
ステップＳ１６において、表示制御部１０は、一般情報、及び運転者が運転を継続できない場合の運転者関連情報を汎用表示器６０に表示する。これにより、同乗者は、運転者の体調や容態が悪いことを把握でき、運転者に休憩を勧める、救急車を手配するなど運転者の体調不良に備えることができる。表示制御部１０は、さらに運転者の持病や服用薬、運転者の緊急連絡先などの情報を携帯端末２００や車両用表示システム１の図示しない記憶部から取得して表示してもよい。
【００６０】
ステップＳ１７において、表示制御部１０は、外部情報を運転者専用表示器５０、汎用表示器６０のいずれかに表示する。表示制御部１０は、例えば、表示器の使用の有無、外部情報の大きさや量、表示器の表示領域の大きさ等から外部情報の表示に適した表示器を選択してよい。
【００６１】
車両用表示システム１は、上記第一乃至第五の態様の表示制御を周期的に、又は外部情報、同乗者情報の取得ごとに行うことにより、表示器と表示器に表示する情報を制御する。例えば、運転の途中から同乗者が車両Ｃに搭乗した場合に、汎用表示器６０から運転者専用表示器５０に表示を切り替えることができる。
【００６２】
なお、車両用表示システム１の構成において、ウインドシールド型のＨＵＤを例示したが、コンバイナ型のＨＵＤにも適用可能である。
【００６３】
なお、上記第二の態様において、表示制御部１０は、運転者関連情報に設定されなかった一般情報について、どの汎用表示器に表示するか設定できてもよい。
【００６４】
なお、上記第三の態様において、表示制御部１０は、汎用表示器に表示された一般情報を運転者の操作により運転者専用表示器に表示できてもよい。
【００６５】
なお、上記第四の態様において、表示制御部１０は、取得した一般情報に含まれるキーワードや画像から同乗者に関連するか判断し、同乗者に関連する場合は一般情報を運転者専用表示器に表示できてもよい。
【産業上の利用可能性】
【００６６】
本発明は、ヘッドアップディスプレイやヘッドマウントディスプレイのような運転者のみが視認可能な運転者専用表示器を備える車両用表示システムに好適である。
【符号の説明】
【００６７】
１・・・車両制御システム
１０・・・表示制御部
２０・・・外部情報取得部
３０・・・同乗者情報取得部
４０・・・車両情報取得部
５０・・・運転者専用表示器
５１・・・表示領域
６０・・・汎用表示器
７０・・・操作情報取得部
２００・・・携帯端末
２１０・・・ナビゲーション装置
２２０・・・生体情報検知部
３００・・・同乗者検知部
４００・・・車両ＥＣＵ
７００・・・操作部
Ｃ・・・車両
ＷＳ・・・ウインドシールド
【図１】
2019119338.tif 000003
【図２】
2019119338.tif 000004
【図３】
2019119338.tif 000005
【図４】
2019119338.tif 000006
【図５】
2019119338.tif 000007
【図６】
2019119338.tif 000008
【図７】
2019119338.tif 000009
【図８】
2019119338.tif 000010